(57)【要約】【課題】大規模プラントにおいて状況変化や異常が発生している各現場に到着した作業者が、その現場に関連する情報のみならず、その大規模プラントのプラント制御に関する全ての情報が閲覧可能である、プラントの状況判断支援装置を提供する。【解決手段】火力発電プラント、原子力発電プラント、化学プラントを含む大型プラント１０の複数の現場のそれぞれにおいて前記大型プラントの状況を判断するためのプラントの状況判断支援装置であって、前記大型プラントの複数の現場にそれぞれ設けられ、互いに通信可能に接続された複数のユビキタスコンピュータ２０を備え、前記複数のユビキタスコンピュータのそれぞれは、前記大型プラントのプラント制御に関する全体の情報がリアルタイムで表示可能とされている。【選択図】　図１
2004102573.tif 000002
【特許請求の範囲】
【請求項１】
火力発電プラント、原子力発電プラント、化学プラントを含む大型プラントの複数の現場のそれぞれにおいて前記大型プラントの状況を判断するためのプラントの状況判断支援装置であって、
前記大型プラントの複数の現場にそれぞれ設けられ、互いに通信可能に接続された複数のユビキタスコンピュータを備え、
前記複数のユビキタスコンピュータのそれぞれは、前記大型プラントのプラント制御に関する全体の情報がリアルタイムで表示可能とされている
プラントの状況判断支援装置。
【請求項２】
請求項１記載のプラントの状況判断支援装置において、
前記複数の複数のユビキタスコンピュータは、互いに無線ＬＡＮにより接続されている
プラントの状況判断支援装置。
【請求項３】
請求項１または２に記載のプラントの状況判断支援装置において、
前記複数のユビキタスコンピュータのそれぞれは、前記大型プラントの全ての図面情報が表示可能とされている
プラントの状況判断支援装置。
【請求項４】
請求項１から３のいずれか１項に記載のプラントの状況判断支援装置において、
前記ユビキタスコンピュータには、前記現場に行く作業者の身に付けられる音声認識機能付きのウエアラブルコンピュータが含まれる
プラントの状況判断支援装置。
【請求項５】
請求項１から４のいずれか１項に記載のプラントの状況判断支援装置において、
前記ユビキタスコンピュータは、音声認識機能を有し、
前記音声認識機能を有するユビキタスコンピュータは、作業者からの声による指示に応答して、前記指示に対応する情報を検索し、前記検索された情報を表示する
プラントの状況判断支援装置。
【請求項６】
請求項１から５のいずれか１項に記載のプラントの状況判断支援装置において、
前記ユビキタスコンピュータは、前記大型プラントの全体に対する中央制御機能を有している
プラントの状況判断支援装置。
【発明の詳細な説明】
【０００１】
【発明の属する技術分野】
本発明は、プラントの状況判断支援装置に関し、特に、火力、原子力、化学プラントのような大規模プラントの状況判断支援装置に関する。
【０００２】
【従来の技術】
火力、原子力、化学プラントのような大規模プラントで異常が発生すると、多くの場合、警報が発生する。プラントの運転員には、これらの発生した警報からプラントの状態を迅速に判断し、場合によっては当該現場へ移動して適切な対応をとることが要求される。
【０００３】
しかし、従来、現場では関連する機器の情報しか入手することができず、中央制御室と連絡をとりながら対応するため、現場での状況判断が迅速に行えないという問題がある。
【０００４】
特開平１０−２８９０３４号公報には、次の手離し式モバイル・コンピュータ・システムが記載されている。それは、コンピュータ・ハウジング、電源、手離し式コンピュータ起動手段、プロセッサ及びディスプレイ手段を含んで成る手離し式モバイル・コンピュータ・システムであって、前記ディスプレイ手段は、前記プロセッサと連絡する接続手段を有し、前記プロセッサは、前記起動手段と連絡する接続手段を有して、前記起動手段からの命令を受信し、前記命令を電気信号に変換して処理するように成し、前記ディスプレイ手段は、前記プロセッサからの前記電気信号及び情報を受信する手段を有して、前記情報をユーザのために表示するように成し、前記起動手段は、音声起動手段、脳波起動手段、眼球追跡軌道手段及びそれらの混合物から構成されるグループの中から選択される手段を含んで成り、前記接続手段の少なくとも一部は、光ファイバー接続を含んで成るように成したものである。
【０００５】
【特許文献１】
特開平１０−２８９０３４号公報（図５）
【０００６】
【発明が解決しようとする課題】
本発明の目的は、大規模プラントにおいて状況変化や異常が発生している各現場に到着した作業者が、その現場に関連する情報のみならず、その大規模プラントのプラント制御に関する全ての情報が閲覧可能である、プラントの状況判断支援装置を提供することである。
本発明の他の目的は、大規模プラントにおいて状況変化や異常が発生している各現場に到着した作業者が、ハンズフリーで、その現場に関連する情報のみならず、その大規模プラントのプラント制御に関する全ての情報が閲覧可能である、プラントの状況判断支援装置を提供することである。
本発明の更に他の目的は、大規模プラントにおいて状況変化や異常が発生している各現場に到着した作業者が、その現場に関連する情報のみならず、その大規模プラントのプラント制御に関する全ての情報のうち作業者が希望する情報を入手することのできる、プラントの状況判断支援装置を提供することである。
本発明の更に他の目的は、大規模プラントにおいて状況変化や異常が発生している各現場に到着した作業者が、その現場に関連する情報のみならず、その大規模プラントのプラント制御に関する全ての情報の入手可能であり、かつその大規模プラントの各機器を制御可能な、プラントの状況判断支援装置を提供することである。
【０００７】
【課題を解決するための手段】
以下に、［発明の実施の形態］で使用する番号・符号を用いて、［課題を解決するための手段］を説明する。これらの番号・符号は、［特許請求の範囲］の記載と［発明の実施の形態］の記載との対応関係を明らかにするために付加されたものであるが、［特許請求の範囲］に記載されている発明の技術的範囲の解釈に用いてはならない。
【０００８】
本発明のプラントの状況判断支援装置は、火力発電プラント、原子力発電プラント、化学プラントを含む大型プラント（１０）の複数の現場のそれぞれにおいて前記大型プラント（１０）の状況を判断するためのプラントの状況判断支援装置であって、前記大型プラント（１０）の複数の現場にそれぞれ設けられ、互いに通信可能に接続された複数のユビキタスコンピュータ（２０）を備え、前記複数のユビキタスコンピュータ（２０）のそれぞれは、前記大型プラント（１０）のプラント制御に関する全体の情報がリアルタイムで表示可能とされている。
【０００９】
本発明のプラントの状況判断支援装置において、前記複数の複数のユビキタスコンピュータ（２０）は、互いに無線ＬＡＮにより接続されている。
【００１０】
本発明のプラントの状況判断支援装置において、前記複数のユビキタスコンピュータ（２０）のそれぞれは、前記大型プラント（１０）の全ての図面情報が表示可能とされている。
【００１１】
本発明のプラントの状況判断支援装置において、前記ユビキタスコンピュータ（２０）には、前記現場に行く作業者の身に付けられる音声認識機能付きのウエアラブルコンピュータが含まれる。
【００１２】
本発明のプラントの状況判断支援装置において、前記ユビキタスコンピュータ（２０）は、音声認識機能を有し、前記音声認識機能を有するユビキタスコンピュータ（２０）は、作業者からの声による指示に応答して、前記指示に対応する情報を検索し、前記検索された情報を表示する。
【００１３】
本発明のプラントの状況判断支援装置において、前記ユビキタスコンピュータ（２０）は、前記大型プラント（１０）の全体に対する中央制御機能を有している。
【００１４】
【発明の実施の形態】
以下、添付図面を参照して、本発明によるプラントの状況判断支援装置の一実施形態を説明する。
【００１５】
（第１実施形態）
本実施形態は、火力発電プラント、原子力発電プラント、化学プラント等（以下、大規模プラントという）の内部の各部に作業者が移動し、機器の状況を判断する際に用いられるプラントの状況判断支援装置に関する。
【００１６】
本実施形態において、大規模プラントには、ユビキタスコンピュータの環境が整えられている。すなわち、図１に示すように、大規模プラント１０内に複数のコンピュータ２０、２０…があまねく存在し利用可能な環境に整えられている。複数のコンピュータ２０、２０…のそれぞれは、大規模プラント１０の各機器毎に対して一対一の関係で設けられるのみではなく、機器の状況変化、トラブル等に迅速に対応できるように十分な数が設けられている。
【００１７】
本実施形態では、大規模プラント１０の機器３０、３０…の状況を判断するために、プラント１０の現場にユビキタスコンピューティングが実現される。ここで、ユビキタスコンピューティングとは、小さく高性能なコンピュータ２０をあちこちに配置し、必要に応じてこれらの環境に遍在する多くのコンピュータ２０を組合せて、その能力を利用しようとするものである。人が体に付けるウェアラブルコンピュータも環境に遍在する人用のコンピュータであると考えられるので、ユビキタスコンピュータ２０に含まれる。
【００１８】
それらの複数のユビキタスコンピュータ２０は、大規模プラント１０の内部の複数の現場のそれぞれ固定された位置に設置された設置型ＰＣであってもよいし、又は、作業者が持ち運べるようにノート型ＰＣないしＰＤＡであってもよいし、又は、ウエアラブルコンピュータ（体に装着したまま利用可能でハンズフリー操作や音声操作が可能なもの）であってもよいし、いわゆるタフネスＰＣ（耐久性を追及したＰＣ）であってもよい。
【００１９】
大規模プラント１０内の複数のユビキタスコンピュータ２０は、例えば、互いに無線ＬＡＮ４０で接続されている。
【００２０】
このような大規模プラント１０では、異常（機器の状況変化、トラブル等）が発生している場所に、作業者が到着した際に、その場所のユビキタスコンピュータ２０を利用し、その大規模プラント１０の全ての情報が閲覧可能な状態とされている。
【００２１】
特に大規模プラントを遠隔（プラント内において機器から離れた監視室を含む）で管理するようなケースにおいて、端末の置いてある場所が何もない（発信すべき情報・外的刺激の少ない）場所であると、必然的にデータセンターのように中央集中型のサーバからの上意下達的情報の流れが主となる。
これに対して、本実施形態では、ユビキタスコンピュータ２０が、監視すべき大規模プラント１０の各現場に置かれるので、現場に到着した作業者は、その現場の状況やその現場の計測器のデータ等から、大規模プラント１０に実際に発生した事象に関する情報量をより多く収集することができる。
【００２２】
大規模プラント１０において、トラブル等の事象が発生したときには、その事象に関する情報は、その事象の発生場所である現場に最も多いので、予め大規模プラント１０の様々な場所に、多数のユビキタスコンピュータ２０を設けておき、あらゆる場所でのトラブル等の発生に備えておく。
【００２３】
本実施形態では、しかも、大規模プラント１０の各現場に置かれたユビキタスコンピュータ２０は、他の現場に置かれたユビキタスコンピュータ２０や、大規模プラント１０の全ての図面情報や監視対応マニュアル等のデータが格納されたコンピュータ（ユビキタスコンピュータ２０）と、無線ＬＡＮ４０等により通信可能に接続されている。
そのため、作業員は、現場で実際に発生した事象を見てより多くの情報を収集した上で、その現場にいながら、大規模プラント１０の必要な箇所の図面情報等を参照することにより、トラブル等の真の事象ないし原因を絞り込み易い。
【００２４】
大規模プラント１０の異常が起きている現場に設置されたユビキタスコンピュータ２０では、大規模プラント１０の全体のプラント制御に関する全情報（温度・圧力・流量等）をあたかも大規模プラント１０の中央制御室にいるかのように、リアルタイムで情報を入手することにより、トラブル等の真の事象を絞り込むためのガイドを提供し、状況判断を支援することが可能となる。
【００２５】
第１実施形態によれば、作業者がいる場所の異常を示す情報に加えて、大規模プラント１０の全ての情報が閲覧できることにより、より迅速に状況判断が可能となる。
【００２６】
（第２実施形態）
次に、第２実施形態について説明する。
第２実施形態は、第１実施形態を更に発展させたものであり、図１に示すような第１実施形態と同様のユビキタスコンピューティングの環境が提供されている。
【００２７】
第２実施形態では、更に、図２に示すように、作業者１００が音声認識機能（ヘッドホンマイクセット）１１０を持ち、かつヘッドマウントディスプレイ１２０を備えたウエアラブルコンピュータ等のユビキタスコンピュータ２０を装備し、現場に行き対応する。
【００２８】
第２実施形態によれば、作業者１００は、音声認識機能１１０を有し、かつヘッドマウントディスプレイ１２０を備えたウエアラブルコンピュータ等のユビキタスコンピュータ２０を装備していることにより、ハンズフリーで作業が可能となる。
【００２９】
（第３実施形態）
次に、第３実施形態について説明する。
第３実施形態は、第１実施形態を更に発展させたものであり、図１に示すような第１実施形態と同様のユビキタスコンピューティングの環境が提供されている。
【００３０】
第３実施形態では、更に、大規模プラント１０内の複数のユビキタスコンピュータ２０のそれぞれは、音声認識機能を有している。ユビキタスコンピュータ２０に対して、作業者が声で特定の情報を指示する（例えば原子力発電プラントのケースでは「格納容器内の１次系の圧力関係」と発声する）と、その声による指示に関連する情報が、そのユビキタスコンピュータ２０に表示される。
【００３１】
その特定の情報とは、作業者がいる現場の情報に限らず、大規模プラント１０内のプラント制御に関する情報が対象となる。声による指示を受けたユビキタスコンピュータ２０は、他のユビキタスコンピュータ２０と無線ＬＡＮ４０等で通信することにより、声による指示に関連する情報を検索して必要な情報を入手して表示する。
【００３２】
そのユビキタスコンピュータ２０は、作業者が身に付けているウエアラブルコンピュータ２０に限定されずに、大規模プラント１０の各場所に設置されているものであってもよい。
【００３３】
第３実施形態によれば、作業者は、作業者がいる場所（異常が発生している場所）の異常情報に加えて、大規模プラント１０に関する作業者が希望する特定の情報が閲覧可能な状態となることで、状況判断がより正確になる。
【００３４】
（第４実施形態）
次に、第４実施形態について説明する。
第４実施形態は、第１実施形態を更に発展させたものであり、図１に示すような第１実施形態と同様のユビキタスコンピューティングの環境が提供されている。
【００３５】
第４実施形態では、更に、大規模プラント１０内の複数のユビキタスコンピュータ２０のそれぞれは、大規模プラント１０の全機器のプラント制御に関する情報を監視（管理）した上で各機器を制御する中央制御室のコンピュータと同様に、情報の閲覧だけでなく大規模プラント１０の各機器の制御も可能な状態に設定されている。すなわち、中央制御室のコンピュータが大規模プラント１０内にあまねく存在している状況（ユビキタスコンピューティング）とされている。
【００３６】
この場合、大規模プラント１０の機器の制御が行える作業者には、特定のＩＤが予め与えておき、それ以外の者がユビキタスコンピュータ２０にアクセスしても大規模プラント１０の機器のを制御できないようにする等の対策を講じておく。
【００３７】
第４実施形態によれば、作業者は、プラント１０の現場にいても中央制御室にいるのと同様な状態となり、より迅速に正確な判断を行い、プラントの制御が可能となる。
【００３８】
【発明の効果】
本発明によれば、大規模プラントにおいて状況変化や異常が発生している各現場に到着した作業者が、その現場に関連する情報のみならず、その大規模プラントのプラント制御に関する全ての情報が閲覧可能である。
【図面の簡単な説明】
【図１】図１は、本発明のプラントの状況判断支援装置の一実施形態の全体構成のブロック図である。
【図２】図２は、本発明のプラントの状況判断支援装置の一実施形態において用いられる、作業者が身に付けるウェアラブルコンピュータを示す図である。
【符号の説明】
１０　大型プラント
２０　ユビキタスコンピュータ
３０　機器
４０　無線ＬＡＮ
１００　作業者
１１０　ヘッドホンマイク
１２０　ヘッドマウントディスプレイ
【図１】
2004102573.tif 000003
【図２】
2004102573.tif 000004